(57)【特許請求の範囲】
【請求項１】
相互に対向して液晶を挟持する第１基板および第２基板と、前記第２基板に設けられた反射層とを具備する液晶表示パネルであって、
前記反射層に対応して前記第１基板側からの入射光を反射させる反射領域と、当該反射層以外の領域に対応して前記第２基板から前記第１基板に向かう光を透過させる透光領域とが、画素内において、当該画素を画定する複数の辺の各々に沿って隣接するように、前記反射層の形状が選定され、かつ、前記反射層は、列をなす複数の前記画素にわたって延在する形状である
ことを特徴とする液晶表示パネル。
【請求項２】
前記第１基板の面上に設けられて前記画素の周囲を遮光する遮光層を具備する
ことを特徴とする請求項１に記載の液晶表示パネル。
【請求項３】
前記画素に対応して第１基板の面上に設けられるとともに、複数の色のうちのいずれかに対応する波長の光を透過させるカラーフィルタを具備する
ことを特徴とする請求項２に記載の液晶表示パネル。
【請求項４】
前記反射領域および透光領域のうち、前記画素に対応する領域を画定する複数の辺の各々に沿った長さがほぼ等しくなるように、前記反射層の形状が選定されていることを特徴とする請求項１に記載の液晶表示パネル。
【請求項５】
前記反射層の面上に設けられるとともに当該反射層と電気的に接続されて、前記液晶に電圧を印加する電極を具備することを特徴とする請求項１に記載の液晶表示パネル。
【請求項６】
請求項１に記載の液晶表示パネルを備えることを特徴とする電子機器。
【発明の詳細な説明】
【０００１】
【発明の属する技術分野】
本発明は、液晶表示パネルおよびこれを用いた電子機器に関する。
【０００２】
【従来の技術】
いわゆる反射型の液晶表示パネルは、液晶を挟持する一対の基板のうち、背面側の基板の面上にアルミニウムなどの反射層が形成された構成をとるのが一般的である。かかる構成の下、観察側から入射した太陽光や室内照明光などの外光は、上記反射層の表面で反射した後に観察側から出射し、これにより反射型表示が実現される。この種の液晶表示パネルによれば、光源がなくても表示が可能であるため、装置の薄型化や低消費電力化を図ることができるという利点がある。しかしながらその反面、外光が十分に存在しない環境下では、十分な視認性を確保できないという欠点がある。
【０００３】
そこで近年では、上述した反射型表示に加えて透過型表示も可能な、いわゆる半透過反射型の液晶表示パネルが提案されるに至っている。すなわち、この種の液晶表示パネルにおいては、背面側の基板に形成された反射層のうち、各画素に対応した位置にスリット（開口部）が設けられるとともに、当該液晶表示パネルの背面側にバックライトユニットが配設される。かかる構成の下、バックライトユニットから出射して背面側の基板に入射した光を、反射層に設けられたスリットを通過させて観察側に出射させることによって、透過型表示が実現される。半透過反射型の液晶表示パネルによれば、外光が十分に存在する環境において上述した反射型表示を行なう一方、外光がほとんど存在しない環境においてはバックライトユニットを点灯させて透過型表示を行なうことにより視認性を確保できるという利点がある。
【０００４】
【発明が解決しようとする課題】
しかしながら、この種の半透過反射型液晶表示パネルにおいては、反射層を形成する工程や一対の基板を貼り合わせる工程など種々の工程において生じ得る誤差に起因して、反射型表示のために光を反射させる領域（以下、「反射領域」と表記する）の面積と、透過型表示のために光を透過させる領域（以下、「透光領域」と表記する）の面積との比率が、所期の比率（設計上の比率）と異なってしまう場合が生じ得る。そして、例えば、光を透過させる領域の面積が所期の面積よりも小さく、光を反射させる領域の面積が所期の面積よりも大きい場合には、透過型表示を行なった場合の明るさが反射型表示を行なった場合と比較して暗くなるといった具合に、表示方式によって表示品位のばらつきが生ずるという問題があった。
【０００５】
本発明は、以上説明した事情に鑑みてなされたものであり、製造上の誤差に起因して透光領域と反射領域との面積比率がばらつくのを抑えることができる液晶表示パネル、およびこれを用いた電子機器を提供することを目的としている。
【０００６】
【課題を解決するための手段】
上記課題を解決するため、本発明は、相互に対向して液晶を挟持する第１基板および第２基板と、前記第２基板に設けられた反射層とを具備する液晶表示パネルであって、
前記反射層に対応して前記第１基板側からの入射光を反射させる反射領域と、当該反射層以外の領域に対応して前記第２基板から前記第１基板に向かう光を透過させる透光領域とが、画素内において、当該画素を画定する複数の辺の各々に沿って隣接するように、前記反射層の形状が選定され、かつ、前記反射層は、列をなす複数の前記画素にわたって延在する形状であることを特徴としている。
【０００７】
この液晶表示パネルによれば、反射領域と透光領域とが、画素内において、当該画素の各辺に沿って隣接するようになっている。このため、製造上の誤差に起因して画素の周縁近傍の部分が表示に寄与し得ないこととなった場合であっても、反射領域および透光領域の双方の面積が減少することとなり、これらの領域のうちいずれか一方の面積のみが減少することを防ぐことができる。したがって、たとえ製造上の誤差が生じた場合であっても、反射領域と透光領域の面積比率が所期の面積比率と異なる事態が回避され、この結果、反射型表示時および透過型表示時の表示品位（明るさ）の均衡を維持することができる。
【０００８】
例えば、画素の周囲を遮光するために前記第１基板の面上に設けられた遮光層を有する液晶パネルにおいては、製造上の誤差によって遮光層の一部が画素の周縁近傍の部分と重なり、当該部分が表示に寄与し得ないものとなる場合が生じ得る。かかる場合であっても、本発明によれば、反射領域と透光領域の面積比率が、所期の（設計上の）面積比率と異なったものとなる事態を回避することができる。なお、複数の色のいずれかに対応する前記画素を複数有し、複数の前記画素の各々に対応して前記第２基板の面上に設けられるとともに複数の色のいずれかに対応する波長の光を透過させるカラーフィルタを具備する構成としてもよい。
【０００９】
ここで、反射領域と透光領域との面積比率のばらつきを確実に抑えるためには、反射領域と透光領域のうち遮光層などの部分が重なり得る部分の面積が、概ね等しくなることが望ましいといえる。この観点からすると、前記反射領域および前記透光領域のうち前記画素の各辺に沿った長さをほぼ等しくすることが望ましい。
【００１０】
上記液晶表示パネルにおいて、前記反射層の形状を、列をなす複数の前記画素にわたって延在する形状とした構成において、前記反射層の面上に設けられるとともに当該反射層と電気的に接続されて、前記液晶に電圧を印加する電極を設ければ、当該電極のみならず反射層をも配線として利用することができるから、配線抵抗の低下が図られる。
【００１１】
さらに、本発明に係る電子機器は、上記液晶表示パネルを備えるので、たとえ液晶表示パネルの製造時に誤差が生じた場合であっても、反射型表示および透過型表示における表示品位の均衡を保つことができる。なお、このような電子機器としては、例えばパーソナルコンピュータや携帯電話機などが挙げられる。
【００１２】
【発明の実施の形態】
以下、図面を参照して、本発明の実施形態について説明する。かかる実施の形態は、本発明の一態様を示すものであり、この発明を限定するものではなく、本発明の範囲内で任意に変更可能である。
【００１３】
まず、図１を参照して、本発明をパッシブマトリクス方式の半透過反射型液晶表示パネルに適用した形態について説明する。なお、図１および以下に示す各図においては、各層や各部材を図面上で認識可能な程度の大きさとするため、各層や各部材ごとに縮尺を異ならせてある。
【００１４】
図１に示すように、この液晶表示装置は、液晶表示パネル１とバックライトユニット２とを有する。液晶表示パネル１は、第１基板１１および第２基板１２がシール材１４を介して貼り合わされるとともに、両基板とシール材１４とによって囲まれた領域に、ＴＮ（Twisted Nematic）型やＳＴＮ（Super Twisted Nematic）型などの液晶１５が封入された構成となっている。バックライトユニット２は、液晶表示パネル１の第２基板１２側に配置されている。以下では、図１に示すように、液晶表示パネル１に対してバックライトユニット２とは反対側を「観察側」と表記する。すなわち、「観察側」とは、当該液晶表示パネル１によって表示された画像を視認する観察者が位置する側である。
【００１５】
バックライトユニット２は、光源２１と導光板２２とを有する。光源２１は、例えばＬＥＤ（Light Emitting Diode）や冷陰極管などにより構成され、導光板２２の側端面に対して光を照射する。導光板２２は、その側端面に入射した光源２１からの光を、液晶表示パネル１の基板面に対して一様に導くための板状部材である。また、導光板２２のうち液晶表示パネル１と対向する面には、当該導光板２２からの出射光を液晶表示パネル１に対して一様に拡散させる拡散板などが貼着される一方、これと反対側の面には、導光板２２から液晶表示パネル１とは反対側に向かう光を液晶表示パネル１側に反射させる反射板が貼着される（いずれも図示略）。なお、光源２１は常に点灯しているわけではなく、外光が十分に存在しない環境において使用される場合に、ユーザからの指示やセンサからの検出信号に応じて点灯する。
【００１６】
一方、液晶表示パネル１の第１基板１１および第２基板１２は、ガラスや石英、プラスチックなどの光透過性を有する板状部材である。図１に示すように、第１基板１１および第２基板１２の外側（液晶１５とは反対側）の表面には、干渉色を補償するための位相差板１１６、１２４と、入射光を偏光させるための偏光板１１７、１２５とがそれぞれ貼着されている。
【００１７】
第２基板１２の内側（液晶１５側）表面には、反射層１２１、セグメント電極１２２および配向膜１２３が形成されている。反射層１２１は、第１基板１１側からの入射光を反射させるための層であり、例えばアルミニウムや銀などの単体金属やこれらを主成分として含む合金といった光反射性を有する材料によって形成される。ただし、本実施形態における反射層１２１は、銀を主成分としてパラジウム（Ｐｄ）および銅を含む合金（以下、「ＡＰＣ合金」と表記する）によって形成されているものとする。また、第２基板１２のうち反射層１２１が形成される表面は、反射層１２１の表面に散乱構造（凹凸）を形成するために粗面化されているが、図示は省略されている。なお、ここでは反射層１２１に散乱構造を形成する場合を例示したが、この構成に代えて、観察側の偏光板１１７に散乱特性を持たせた、いわゆる前方散乱方式を採用してもよい。
【００１８】
セグメント電極１２２は、図２に示すように、Ｙ方向に延在する帯状の電極であり、例えばＩＴＯ（Indium Tin Oxide）などの透明導電材料によって形成される。図１および図２に示すように、上述した反射層１２１は、セグメント電極１２２と同様にＹ方向に延在する形状に成形され、各セグメント電極１２２によって覆われている。すなわち、本実施形態における反射層１２１は、各セグメント電極１２２と電気的に接続されており、第１基板１１側からの入射光を反射させるだけでなく、セグメント電極１２２とともに配線として機能する。セグメント電極１２２を構成するＩＴＯは抵抗値が比較的高いが、本実施形態においては、抵抗値の低いＡＰＣ合金からなる反射層１２１を配線としても機能させるため、配線抵抗の低下が図られる。
【００１９】
図１に示す配向膜１２３は、反射層１２１およびセグメント電極１２２が形成された第２基板１２の表面を覆うように形成される。この配向膜１２３は、ポリイミドなどの有機薄膜であり、電圧が印加されていないときの液晶１５の配向方向を規定するためのラビング処理が施されている。
【００２０】
一方、第１基板１１の内側（液晶１５側）表面には、遮光層１１１、カラーフィルタ１１２、オーバーコート層１１３、コモン電極１１４および配向膜１１５が形成されている。コモン電極１１４は、ＩＴＯなどの透明導電材料によって形成された帯状の電極であり、図２に示すように、第２基板１２上のセグメント電極１２２と交差する方向（すなわちＸ方向）に延在する。そして、第１基板１１と第２基板１２との間に挟持された液晶１５は、コモン電極１１４とセグメント電極１２２との間に印加された電圧差に応じてその配向方向が変化する。以下では、コモン電極１１４とセグメント電極１２２とが対向する領域を「サブ画素」と表記する。つまり、サブ画素は、液晶１５の配向方向が電圧の印加に応じて変化する領域の最小単位ということもできる。
【００２１】
再び図１において、遮光層１１１は、マトリクス状に配列するサブ画素同士の間隙（つまり、コモン電極１１４とセグメント電極１２２とが対向する領域以外の領域）を覆うように格子状に形成され、各サブ画素の周囲を遮光する役割を担う。この遮光層１１１は、例えばクロムなどの金属や、カーボンブラックが分散された黒色樹脂材料などによって第１基板１１上に形成される。カラーフィルタ１１２は、各サブ画素に対応して形成された樹脂層であり、染料や顔料によってＲ（赤色）、Ｇ（緑色）およびＢ（青色）のうちのいずれかに着色されている。したがって、液晶１５を透過して第１基板１１側に向かう光のうち各カラーフィルタ１１２の色に対応した波長の光のみが、観察側に出射することとなる。本実施形態においては、図２において括弧書きで示すように、Ｙ方向に列をなす複数のサブ画素にわたって同一色のカラーフィルタ１１２が配列された構成（いわゆるストライプ配列）を採用した場合を例示する。
【００２２】
オーバーコート層１１３は、例えばアクリル系やエポキシ系などの樹脂材料によって形成され、遮光層１１１およびカラーフィルタ１１２の段差を平坦化する役割を担っている。上述したコモン電極１１４は、オーバーコート層１１３の表面に形成される。さらに、コモン電極１１４が形成されたオーバーコート層１１３の表面は、上述した配向膜１２３と同様の配向膜１１５によって覆われている。
【００２３】
次に、図３を参照して、反射層１２１の具体的な平面形状について詳述する。なお、図３においては、図面が煩雑になるのを防止するため、反射層１２１と遮光層１１１のみが図示されており、その他の構成要素については図示が省略されている。
【００２４】
上述したように、遮光層１１１は、コモン電極１１４とセグメント電極１２２との交差部分に相当するサブ画素に対応して開口する形状となっている。そして、図３に示すように、反射層１２１は、サブ画素のうちの一部の領域を覆うように形成される。この結果、サブ画素の一部に対応して反射層１２１が形成された領域（以下、「反射領域」と表記する）１７Ａは、第１基板１１側からの光を反射して反射型表示を行なうための領域として機能する。すなわち、反射型表示を行なう場合、観察側から液晶表示パネル１に入射した太陽光や室内照明光などの外光は、偏光板１１７および位相差板１１６を通過することによって所定の偏光状態となった後、第１基板１１→カラーフィルタ１１２→コモン電極１１４→液晶１５→セグメント電極１２２という経路を介して反射層１２１に至るとともに、その反射領域１７Ａにおいて反射して、いま来た経路を逆に辿る。このとき、コモン電極１１４とセグメント電極１２２との間の電圧差に応じて液晶１５の配向状態が変化するため、反射領域１７Ａにおける反射光のうち偏光板１１７を通過して観察者によって視認される光量が、サブ画素ごとに制御されるのである。
【００２５】
他方、サブ画素のうち反射領域１７Ａ以外の領域、すなわちサブ画素のうち反射層１２１によって覆われた領域以外の領域（以下、「透光領域」と表記する）１７Ｂは、バックライトユニット２から第２基板１２に入射した光を透過させて透過型表示を行なうための領域として機能する。すなわち、バックライトユニット２の光源２１を点灯させて透過型表示を行なう場合、当該バックライトユニット２の照射光は、偏光板１２５および位相差板１２４を通過することによって所定の偏光状態となった後、第２基板１２→透光領域１７Ｂ→セグメント電極１２２→液晶１５→コモン電極１１４→カラーフィルタ１１２→第１基板１１という経路を介して観察側に出射する。この透過型表示においても、コモン電極１１４とセグメント電極１２２との間の電圧差に応じて液晶１５の配向状態が変化するため、透光領域１７Ｂを透過した光のうち偏光板１１７を通過して観察者によって視認される光量は、サブ画素ごとに制御される。
【００２６】
そして、本実施形態においては、反射領域１７Ａと透光領域１７Ｂとが、サブ画素に対応する領域を画定する４本の辺（すなわち、遮光層１１１の開口領域を画定する４つの辺）の各々に沿って隣接するように、反射層１２１の形状が選定されている。例えば、図３において、サブ画素の４本の辺の各々について当該辺の一端から他端に向かって辿った場合、当該辺に沿って、透光領域１７Ｂ、反射領域１７Ａ、透光領域１７Ｂの順に各領域が隣接することとなる。換言すると、図３に示すように、サブ画素の各辺に近接し、かつ当該辺と平行な直線Ｌを当該サブ画素内において想定した場合に、当該直線Ｌが反射領域１７Ａと透光領域１７Ｂの双方を通過するようになっているのである。
【００２７】
さらに、本実施形態においては、サブ画素の各辺に沿って隣接する反射領域１７Ａと透光領域１７Ｂのうちその辺に沿った長さがほぼ等しくなるように、反射層１２１の形状が選定されている。より具体的には、図３に示すように、サブ画素のうちＹ方向に延在する辺に沿った反射領域１７Ａの長さＬａ１と、当該辺に沿った透光領域１７Ｂの長さＬａ２（＝Ｌａ２’＋Ｌａ２’’）とはほぼ等しくなっている。
【００２８】
このように、本実施形態においては、反射領域１７Ａと透光領域１７Ｂとが、ひとつのサブ画素内において当該サブ画素の周縁に沿って隣接するようになっているので、当該サブ画素における反射領域１７Ａと透光領域１７Ｂの面積比率について、製造上の誤差に起因したばらつきが発生するのを防止することができる。詳述すると、以下の通りである。
【００２９】
ひとつのサブ画素内に反射領域と透光領域を設けるための構成としては、例えば、図４（ａ）に示す構成も一応考えられる。すなわち、透光領域１７Ｂ’を、サブ画素のうちＹ方向に延在する二辺に沿った領域とする一方、反射領域１７Ａ’を、当該透光領域１７Ｂ’に挟まれた領域とするのである。なお、図４および後述する図５においては、設計上サブ画素として機能すべき領域が、破線で囲まれた領域１８として示されている。すなわち、領域１８は、基板面内のうちコモン電極１１４とセグメント電極１２２とが対向すべき領域として設計上予定された領域である。もっとも、コモン電極１１４、反射層１２１およびセグメント電極１２２は、フォトリソグラフィやエッチングといった技術によって極めて高い精度で形成され得るから、コモン電極１１４とセグメント電極１２２とが実際に対向する領域を領域１８と考えても差し支えないといえる。
【００３０】
ここで、かかる構成の液晶表示パネル１を製造する工程のうち、反射層１２１が形成された第２基板１２と、遮光層１１１が形成された第１基板１１とを貼り合わせる工程に着目する。この工程においては、両基板同士の相対的な位置合わせを行ないつつ当該基板同士を貼り合わせるのが一般的である。このとき、例えば、製造技術上の理由などによって両基板のＸ方向における相対的な位置がずれたと仮定すると、図４（ｂ）に示すように、サブ画素として機能すべき領域１８のうち、透光領域１７Ｂ’（より詳細には図４における左側の透光領域１７Ｂ’）が遮光層１１１によって覆われることとなる。したがって、本来サブ画素として機能すべき領域１８のうちの透光領域１７Ｂ’が、表示に寄与し得ないものとなる。つまり、サブ画素に占める透光領域１７Ｂ’の面積は、遮光層１１１が適切に配置された場合（すなわち、図４（ａ）の場合）と比較して小さくなる。他方、かかる基板の位置のずれが生じた場合であっても、反射領域１７Ａ’は遮光層１１１によって覆われない。つまり、サブ画素に占める反射領域１７Ａ’の面積は、図４（ａ）に示した場合と変わらないのである。このように、図４に示した構成においては、基板の貼り合わせ誤差に起因して、透光領域１７Ｂ’の面積が減少する反面、反射領域１７Ａ’の面積は変わらないため、透過型表示の明るさが、反射型表示の場合と比較して暗くなるといった具合に、表示方式によって明るさにばらつきが生ずることとなる。
【００３１】
これに対し、本実施形態においては、反射領域１７Ａと透光領域１７Ｂとが、ひとつのサブ画素を画定する複数の辺の各々に沿って隣接するようになっている。したがって、第１基板１１と第２基板１２の相対的な位置が、図５（ａ）に示す適切な位置（設計上の位置）からみてＸ方向にずれた場合、図５（ｂ）に示すように、透光領域１７Ｂの面積とともに反射領域１７Ａの面積も減少することとなる。つまり、本実施形態によれば、反射層１２１と遮光層１１１との相対的な位置がずれた場合であっても、透光領域１７Ｂまたは反射領域１７Ａのいずれか一方の面積のみが減少するのを避けることができるから、透過型表示と反射型表示との間で表示品位に差が生じるのを抑えることができる。
【００３２】
さらに、本実施形態においては、サブ画素の一辺に沿って隣接する反射領域１７Ａと透光領域１７Ｂのうち当該一辺に沿った長さがほぼ等しくなっている。このため、反射層１２１と遮光層１１１との相対的な位置がずれたときに、反射領域１７Ａと透光領域１７Ｂとが減少する面積を、概ね等しくすることができる。したがって、本実施形態によれば、透過型表示と反射型表示とにおいて表示品位に差が生じるのをより確実に抑えることができる。
【００３３】
＜Ｂ：変形例＞
以上この発明の一実施形態について説明したが、上記実施形態はあくまでも例示であり、上記実施形態に対しては、本発明の趣旨から逸脱しない範囲で様々な変形を加えることができる。以下、図６ないし図８を参照して、本発明の変形例について説明する。なお、図６ないし図８に示す要素のうち、前掲図１に示した要素と共通するものについては同一の符号が付されている。
【００３４】
＜Ｂ−１：変形例１＞
上記実施形態においては、カラーフィルタ１１２を備えた液晶表示パネルを例示したが、カラーフィルタ１１２を備えずモノクロ表示を行なう液晶表示パネルにも本発明を適用することができる。この場合、第１基板１１上のコモン電極１１４と第２基板１２上のセグメント電極１２２とが交差する領域（すなわち、上記実施形態におけるサブ画素）を画素として、当該画素内に反射領域１７Ａと透光領域１７Ｂとが形成される構成とすればよい。すなわち、本発明における「画素」とは、第１基板１１上の電極と第２基板１２上の電極とが交差する領域（すなわち、両電極間の電圧差によって液晶の配向方向が制御される領域）を意味し、上記実施形態における「サブ画素」をも含む概念である。
【００３５】
＜Ｂ−２：変形例２＞
上記実施形態においては、反射層１２１の面上にセグメント電極１２２を形成することによって両者を電気的に接続させた構成を例示したが、図６に示す構成としてもよい。すなわち、同図に示すように、本変形例に係る液晶表示パネルにおいては、反射層１２１が形成された第２基板１２の表面を覆うように、例えば樹脂材料などからなる絶縁層１２６が形成されるとともに、この絶縁層１２６の表面にセグメント電極１２２が形成されるようになっている。上記実施形態においては、反射層１２１とセグメント電極１２２とが電気的に接続された構成としたため、反射層１２１の形状を、各セグメント電極１２２に対応する部分ごとに相互に離間した形状とした。これに対し、本変形例においては、反射層１２１とセグメント電極１２２とが電気的に分断されているため、反射層１２１を各セグメント電極１２２に対応する部分ごとに離間させる必要はない。すなわち、図７に示すように、反射層１２１のうち複数のサブ画素の各々に対応する部分同士が連なった形状としてもよい。このように、反射層１２１が、１以上の画素（サブ画素）ごとに離間しているか、複数の画素にわたって連なっているかを問わず、本発明を適用可能である。
【００３６】
また、上記実施形態においては、図２に示したように、サブ画素の中央部から各辺の中央部に至るように反射領域１７Ａが形成され、当該サブ画素の四隅近傍に透光領域１７Ｂが形成されるように、反射層１２１の形状を選定したが、この反射領域１７Ａと透光領域１７Ｂとの位置関係を反転させた構成としてもよい。すなわち、サブ画素の中央部から各辺の中央部に至るように透光領域１７Ｂが形成され、当該サブ画素の四隅近傍に反射領域１７Ａが形成されるように、反射層１２１の形状を選定してもよい。
【００３７】
このように、本発明に係る反射層の形状は、上記実施形態に示した形状に限られるものではない。要は、画素（上記実施形態におけるサブ画素）を画定する複数の辺の各々に沿って反射領域１７Ａと透光領域１７Ｂとが隣接するように、反射層１２１の形状が選定されていればよいのである。
【００３８】
＜Ｂ−３：変形例３＞
上記実施形態および各変形例においては、第１基板１１に遮光層１１１およびカラーフィルタ１１２を設けたが、図８に示すように、第２基板１２にこれらの要素を設けた構成としてもよい。より具体的には、反射層１２１が形成された第２基板１２の面上にカラーフィルタ１１２および遮光層１１１と、当該カラーフィルタ１１２および遮光層１１１を覆うオーバーコート層１１３とを形成する。そして、このオーバーコート層１１３の表面にセグメント電極１２２を形成するのである。一方、第１基板１１の面上には、コモン電極１１４および配向膜１１５が形成される。かかる構成とした場合にも、第２基板１２上に遮光層１１１を形成する際の誤差に起因して、反射領域１７Ａと透光領域１７Ｂの面積比率に相違が生じるのを抑えることができるという上記実施形態と同様の効果が得られる。
【００３９】
もっとも、遮光層１１１やカラーフィルタ１１２は、フォトリソグラフィやエッチングなどを用いて比較的高い精度で形成できるのが一般的であるため、遮光層１１１を第１基板１１上に形成した場合と比較して、反射層１２１と遮光層１１１との相対的な位置のずれが生じるという事態が起こりにくいとも考えられる。かかる事情を考慮すると、反射領域１７Ａと透光領域１７Ｂの面積比率の相違を抑えるという本発明の効果は、遮光層１１１（およびカラーフィルタ１１２）を第１基板１１上に形成した場合に特に顕著に現れるということができる。
【００４０】
また、上記実施形態においては、第１基板１１上に遮光層１１１が設けられるものとし、当該遮光層１１１のずれに起因して反射領域１７Ａと透光領域１７Ｂとの面積比率がばらつくのを抑え得ることを示したが、本発明においては、遮光層１１１は必ずしも必要でない。すなわち、遮光層１１１のずれに起因する場合のみならず、製造技術上生じ得る他の種々の原因によってサブ画素の一部が本来の画素として機能し得ないような場合（例えば、遮光層１１１以外の要素がサブ画素に重なった場合や、両基板上の電極の相対的な位置がずれた場合など）にも、本発明によれば、反射領域１７Ａと透光領域１７Ｂの面積比率を一定に保つことができる。
【００４１】
＜Ｂ−４：変形例４＞
上記実施形態および各変形例においては、パッシブマトリクス方式の液晶表示パネルを例示したが、ＴＦＤ（Thin Film Diode）に代表される二端子型スイッチング素子や、ＴＦＴ（Thin Film Transistor）に代表される三端子型スイッチング素子を採用したアクティブマトリクス方式の液晶表示パネルにも本発明を適用可能である。
【００４２】
＜Ｃ：電子機器＞
次に、本発明に係る液晶表示パネルを用いた電子機器について説明する。
【００４３】
＜Ｃ−１：モバイル型コンピュータ＞
まず、本発明に係る液晶表示パネルを、可搬型のパーソナルコンピュータ（いわゆるノート型パソコン）の表示部に適用した例について説明する。図９は、このパーソナルコンピュータの構成を示す斜視図である。同図に示すように、パーソナルコンピュータ５は、キーボード５１を備えた本体部５２と、本発明に係る液晶表示パネルを適用した表示部５３とを備えている。
【００４４】
＜Ｃ−２：携帯電話機＞
続いて、本発明に係る液晶表示パネルを、携帯電話機の表示部に適用した例について説明する。図１０は、この携帯電話機の構成を示す斜視図である。同図に示すように、携帯電話機６は、複数の操作ボタン６１のほか、受話口６２、送話口６３とともに、本発明に係る液晶表示パネルを適用した表示部６４を備える。
【００４５】
なお、本発明に係る液晶表示パネルを適用可能な電子機器としては、図９に示したパーソナルコンピュータや図１０に示した携帯電話機のほかにも、液晶テレビや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【００４６】
【発明の効果】
以上説明したように、本発明によれば、製造上の誤差に起因して透光領域と反射領域との面積比率がばらつくのを抑えることができる。
【図面の簡単な説明】
【図１】  本発明の実施形態に係る液晶表示装置の構成を示す断面図である。
【図２】  同実施形態に係る液晶表示パネルにおける反射層とコモン電極およびセグメント電極との関係を示す平面図である。
【図３】  同液晶表示パネルにおける反射層と遮光層との関係を示す平面図である。
【図４】  同液晶表示パネルの効果を説明するための対比例を示す平面図である。
【図５】  同液晶表示パネルの効果を説明するための平面図である。
【図６】  本発明の変形例に係る液晶表示パネルの構成を示す断面図である。
【図７】  同液晶表示パネルにおける反射層とコモン電極およびセグメント電極との関係を示す平面図である。
【図８】  本発明の変形例に係る液晶表示パネルの構成を示す断面図である。
【図９】  本発明に係る液晶表示パネルを適用した電子機器の一例たるパーソナルコンピュータの構成を示す斜視図である。
【図１０】  本発明に係る液晶表示パネルを適用した電子機器の一例たる携帯電話機の構成を示す斜視図である。
【符号の説明】
１……液晶表示パネル
１１……第１基板
１１１……遮光層
１１２……カラーフィルタ
１１４……コモン電極
１２……第２基板
１２１……反射層
１２２……セグメント電極
１５……液晶
１７Ａ……反射領域
１７Ｂ……透光領域
２……バックライトユニット
５……パーソナルコンピュータ（電子機器）
６……携帯電話機（電子機器）。
【図１】
0004254092.tif 000002
【図２】
0004254092.tif 000003
【図３】
0004254092.tif 000004
【図４】
0004254092.tif 000005
【図５】
0004254092.tif 000006
【図６】
0004254092.tif 000007
【図７】
0004254092.tif 000008
【図８】
0004254092.tif 000009
【図９】
0004254092.tif 000010
【図１０】
0004254092.tif 000011